【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  ペプチドに非共有結合した熱ショックタンパク質から本質的に成る精製複合体を含む、哺乳動物における自己免疫疾患治療用組成物であって、該熱ショックタンパク質がhsp60ファミリーのメンバーではなく、ストレスタンパク質が自己免疫疾患の自己抗原を含まない、自己免疫疾患治療用組成物。
【請求項２】  複合体化ペプチドを実質的に含まない精製熱ショックタンパク質を含む、哺乳動物における自己免疫疾患治療用組成物であって、該熱ショックタンパク質がhsp60ファミリーのメンバーではなく、ストレスタンパク質が自己免疫疾患の自己抗原を含まない、自己免疫疾患治療用組成物。
【請求項３】  ペプチドに非共有結合した熱ショックタンパク質から本質的に成る精製複合体を含む、哺乳動物における自己免疫疾患治療用組成物であって、該熱ショックタンパク質がhsp90ファミリーのメンバーである、自己免疫疾患治療用組成物。
【請求項４】  複合体化ペプチドを実質的に含まない精製熱ショックタンパク質を含む、哺乳動物における自己免疫疾患治療用組成物であって、該熱ショックタンパク質がhsp90ファミリーのメンバーであり、ストレスタンパク質が自己免疫疾患の自己抗原を含まない、自己免疫疾患治療用組成物。
【請求項５】  ペプチドに非共有結合した熱ショックタンパク質から本質的に成る精製複合体を含む、哺乳動物における自己免疫疾患治療用組成物であって、該熱ショックタンパク質がhsp70ファミリーのメンバーである、自己免疫疾患治療用組成物。
【請求項６】  複合体化ペプチドを実質的に含まない精製熱ショックタンパク質を含む、哺乳動物における自己免疫疾患治療用組成物であって、該熱ショックタンパク質がhsp70ファミリーのメンバーであり、ストレスタンパク質が自己免疫疾患の自己抗原を含まない、自己免疫疾患治療用組成物。
【請求項７】  前記自己免疫疾患がインスリン依存性糖尿病、多発硬化、全身性エリテマトーデス、シェーグレン症候群、強皮症、多発筋炎、慢性活動性肝炎、混合結合組織病、原発性胆汁性肝硬変、悪性貧血、自己免疫性甲状腺炎、突発性アディソン病、白斑、グルテン感受性腸症、グレーヴズ病、重症筋無力症、自己免疫性好中球減少症、突発性血小板減少性紫斑病、慢性関節リウマチ、肝硬変、尋常性天疱瘡、自己免疫性不妊症、グッドパスチャー病、水疱性類天疱瘡、円板状狼瘡、潰瘍性大腸炎、またはデンスデポジット糸球体腎炎である、請求項１〜６のいずれか１項記載の自己免疫疾患治療用組成物。
【請求項８】  前記自己免疫疾患がインスリン依存性糖尿病である、請求項１〜７のいずれか１項記載の自己免疫疾患治療用組成物。
【請求項９】  前記熱ショックタンパク質が、hsp70、hsp90、gp96またはこれらのうち任意のものの組合わせである、請求項１〜８のいずれか１項記載の自己免疫疾患治療用組成物。
【請求項１０】  前記熱ショックタンパク質がgp96である、請求項９記載の自己免疫疾患治療用組成物。
【請求項１１】  前記熱ショックタンパク質がhsp90である、請求項９記載の自己免疫疾患治療用組成物。
【請求項１２】  前記組成物中に存在する前記熱ショックタンパク質の量が5μgから5000μgの範囲内にある、請求項１〜１１のいずれか１項記載の自己免疫疾患治療用組成物。
【請求項１３】  前記組成物中に存在する前記熱ショックタンパク質の量が5μgから1500μgの範囲内にある、請求項１〜１１のいずれか１項記載の自己免疫疾患治療用組成物。
【請求項１４】  前記組成物中に存在する前記熱ショックタンパク質の量が50μgから500μgの範囲内にある、請求項１〜１１のいずれか１項記載の自己免疫疾患治療用組成物。
【請求項１５】  前記組成物中に存在する前記熱ショックタンパク質の量が50μgから200μgの範囲内にある、請求項１〜１１のいずれか１項記載の自己免疫疾患治療用組成物。
【請求項１６】  前記組成物中に存在する前記熱ショックタンパク質の量が5μgから100μgの範囲内にある、請求項１〜１１のいずれか１項記載の自己免疫疾患治療用組成物。
【請求項１７】  前記組成物が皮下投与用である、請求項１〜１６のいずれか１項記載の自己免疫疾患治療用組成物。
【請求項１８】  前記組成物が皮内投与用である、請求項１〜１６のいずれか１項記載の自己免疫疾患治療用組成物。
【請求項１９】  自己免疫疾患の治療が、前記自己免疫疾患に冒された細胞、組織または臓器に対応する細胞、組織または臓器を健康なドナーから治療すべき哺乳動物に移植することをさらに含む、請求項１〜１８のいずれか１項記載の自己免疫疾患治療用組成物。
【請求項２０】  移植される細胞が膵島細胞である、請求項１９に記載の自己免疫疾患治療用組成物。
【請求項２１】  前記ストレスタンパク質が哺乳動物に対して自系である、請求項１〜２０のいずれか１項記載の自己免疫疾患治療用組成物。
【請求項２２】  前記ストレスタンパク質が哺乳動物に対して同種異系である、請求項１〜２０のいずれか１項記載の自己免疫疾患治療用組成物。
【請求項２３】  前記ストレスタンパク質が組換えである、請求項１〜２２のいずれか１項記載の自己免疫疾患治療用組成物。
【請求項２４】  前記組成物が付加的な生物学的応答改変剤と共に投与される、請求項１〜２３のいずれか１項記載の自己免疫疾患治療用組成物。
【請求項２５】  前記組成物が１以上のサイトカインと共に、組合わせ療法において投与される、請求項１〜２３のいずれか１項記載の自己免疫疾患治療用組成物。
【請求項２６】  前記１以上のサイトカインが、IFN-α、IFN-γ、IL-2、IL-4、IL-6およびTNFから成る群から選択される、請求項２５記載の自己免疫疾患治療用組成物。
【請求項２７】  前記複合体が自己免疫疾患の自己免疫応答により標的にされる組織ではない組織供給源から単離される、請求項１、３、５および７〜２６（請求項１、３または５に従属している場合）のいずれか１項記載の自己免疫疾患治療用組成物。
【請求項２８】  前記哺乳動物がヒトである、請求項１〜２７のいずれか１項記載の自己免疫疾患治療用組成物。
【請求項２９】  ペプチドに非共有結合した哺乳動物のストレスタンパク質から本質的に成る精製複合体を含む組成物の使用であって、該ストレスタンパク質がhsp60ファミリーのメンバーではなく、該ストレスタンパク質が自己免疫疾患の自己抗原を含まない、哺乳動物の自己免疫疾患を治療するための薬剤の製造のための使用。
【請求項３０】  複合体化ペプチドを実質的に含まない精製熱ショックタンパク質を含む組成物の使用であって、該熱ショックタンパク質がhsp60ファミリーのメンバーではなく、ストレスタンパク質が自己免疫疾患の自己抗原を含まない、哺乳動物の自己免疫疾患を治療するための薬剤の製造のための使用。
【請求項３１】  ペプチドに非共有結合したストレスタンパク質から本質的に成る精製複合体を含む組成物の使用であって、該ストレスタンパク質がhsp90ファミリーのメンバーである、哺乳動物の自己免疫疾患を治療するための薬剤の製造のための使用。
【請求項３２】  複合体化ペプチドを実質的に含まない精製ストレスタンパク質を含む組成物の使用であって、該ストレスタンパク質がhsp90ファミリーのメンバーであり、該ストレスタンパク質が自己免疫疾患の自己抗原を含まない、哺乳動物の自己免疫疾患を治療するための薬剤の製造のための使用。
【請求項３３】  ペプチドに非共有結合したストレスタンパク質から本質的に成る精製複合体を含む組成物の使用であって、該ストレスタンパク質がhsp70ファミリーのメンバーであり、哺乳動物の自己免疫疾患を治療するための薬剤の製造のための使用。
【請求項３４】  複合体化ペプチドを実質的に含まない精製ストレスタンパク質を含む組成物の使用であって、該ストレスタンパク質がhsp70ファミリーのメンバーであり、該ストレスタンパク質が自己免疫疾患の自己抗原を含まない、哺乳動物の自己免疫疾患を治療するための薬剤の製造のための使用。
【請求項３５】  ペプチドに非共有結合したストレスタンパク質から本質的に成る複合体の精製された集団を含む組成物の使用であって、該ストレスタンパク質が、hsp70、hsp90、gp96またはこれらのうち任意のものの組合わせである、哺乳動物の自己免疫疾患を治療するための薬剤の製造のための使用。
【請求項３６】  前記薬剤が移植治療と組合わせて使用するためのものである、請求項２９〜３５項のいずれか１項記載の使用。